【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
複数のコマンドからなるコマンド列を受信するコマンド列受信手段と、
前記コマンド列に応じて、内部構造を第１の状態に切り換え、第１の信号処理を実行し、その後、さらに、前記コマンド列に応じて、内部構造を第２の状態に切り換え、第２の信号処理を実行する信号処理手段と
を備えることを特徴とする信号処理装置。
【請求項２】
前記信号処理手段は、複数の回路ブロックを有し、前記コマンド列に応じて、前記回路ブロックどうしの接続状態を切り換える
ことを特徴とする請求項１に記載の信号処理装置。
【請求項３】
前記信号処理手段は、第１の画像信号に対して前記第１および第２の信号処理を実行して、第２の画像信号を出力し、
前記第１または第２の信号処理のうちの一方は、前記第１の画像信号の空間解像度を向上させる信号処理であり、他方は、前記第１の画像信号からノイズを除去する信号処理である
ことを特徴とする請求項１に記載の信号処理装置。
【請求項４】
前記信号処理手段は、前記第２の画像信号のうちの注目している注目画像信号を複数のクラスのうちのいずれかのクラスにクラス分類することにより得られるクラスのタップ係数と、前記注目画像信号に対して選択される前記第１の画像信号とを用いた演算により、前記注目画像信号を求める
ことを特徴とする請求項３に記載の信号処理装置。
【請求項５】
前記信号処理手段は、
前記注目画像信号を前記複数のクラスのうちのいずれかのクラスにクラス分類するのに用いるクラスタップを、前記第１の画像信号から選択するクラスタップ選択手段と、
前記クラスタップに基づいて、前記注目画像信号をクラス分類するクラス分類手段と、
前記注目画像信号を求めるときの前記タップ係数との演算に用いる予測タップを、前記第１の画像信号から選択する予測タップ選択手段と、
前記注目画像信号のクラスのタップ係数を出力するタップ係数出力手段と、
前記注目画像信号のクラスのタップ係数と、前記注目画像信号に対して選択された前記予測タップとを用いた演算を行うことにより、前記注目画像信号を求める演算手段と
を有する
ことを特徴とする請求項４に記載の信号処理装置。
【請求項６】
前記信号処理手段は、１チップのIC(Integraged Circuit)である
ことを特徴とする請求項１に記載の信号処理装置。
【請求項７】
複数のコマンドからなるコマンド列を受信するコマンド列受信ステップと、
前記コマンド列に応じて、内部構造を第１の状態に切り換え、第１の信号処理を実行し、その後、さらに、前記コマンド列に応じて、内部構造を第２の状態に切り換え、第２の信号処理を実行する信号処理ステップと
を含むことを特徴とする信号処理方法。
【請求項８】
複数のコマンドからなるコマンド列を受信するコマンド列受信手段と、
前記コマンド列に応じて、内部構造を切り換え、前記コマンド列の１つのコマンドに対応する第１の信号処理を実行し、その後、さらに、前記コマンド列の他の１つのコマンドに対応する第２の信号処理を実行する信号処理手段と
を備えることを特徴とする信号処理装置。
【請求項９】
前記信号処理手段は、複数の回路ブロックを有し、前記コマンド列に応じて、前記複数の回路ブロックの少なくとも一部の状態を切り換える
ことを特徴とする請求項８に記載の信号処理装置。
【請求項１０】
前記信号処理手段は、
複数の回路ブロックと、
前記コマンド列に応じて、前記複数の回路ブロックどうしの接続状態を切り換える切り換え回路と
を有する
ことを特徴とする請求項８に記載の信号処理装置。
【請求項１１】
前記信号処理手段は、第１の画像信号に対して前記第１および第２の信号処理を実行して、第２の画像信号を出力し、
前記第１または第２の信号処理のうちの一方は、前記第１の画像信号の空間解像度を向上させる信号処理であり、他方は、前記第１の画像信号をリサイズする信号処理である
ことを特徴とする請求項８に記載の信号処理装置。
【請求項１２】
前記信号処理手段は、第１の画像信号に対して前記第１および第２の信号処理を実行して、第２の画像信号を出力する場合において、前記第２の画像信号のうちの注目している注目画像信号を複数のクラスのうちのいずれかのクラスにクラス分類することにより得られるクラスのタップ係数と、前記注目画像信号に対して選択される前記第１の画像信号とを用いた演算により、前記注目画像信号を求める
ことを特徴とする請求項８に記載の信号処理装置。
【請求項１３】
前記信号処理手段は、
前記注目画像信号を前記複数のクラスのうちのいずれかのクラスにクラス分類するのに用いるクラスタップを、前記第１の画像信号から選択するクラスタップ選択手段と、
前記クラスタップに基づいて、前記注目画像信号をクラス分類するクラス分類手段と、
前記注目画像信号を求めるときの前記タップ係数との演算に用いる予測タップを、前記第１の画像信号から選択する予測タップ選択手段と、
前記注目画像信号のクラスのタップ係数を出力するタップ係数出力手段と、
前記注目画像信号のクラスのタップ係数と、前記注目画像信号に対して選択された前記予測タップとを用いた演算を行うことにより、前記注目画像信号を求める演算手段と
を有する
ことを特徴とする請求項１２に記載の信号処理装置。
【請求項１４】
前記タップ係数出力手段は、前記第１の画像信号のサイズを前記第２の画像信号のサイズにリサイズするためのタップ係数を出力する
ことを特徴とする請求項１３に記載の信号処理装置。
【請求項１５】
前記タップ係数出力手段は、前記第１の画像信号のサイズを所定の倍率でリサイズするためのタップ係数を出力し、
前記信号処理手段は、前記タップ係数出力手段が出力するタップ係数を用いた演算を再帰的に行うことにより、前記第１の画像信号のサイズを前記第２の画像信号のサイズにリサイズする
ことを特徴とする請求項１３に記載の信号処理装置。
【請求項１６】
前記信号処理手段が、画像信号に対して前記第１および第２の信号処理を実行することことにより、前記画像信号をフィルタリングする１次元ディジタルフィルタ、２次元ディジタルフィルタ、３次元ディジタルフィルタ、または前記画像信号のリサイズ処理を行う装置のうちの２つとして機能する
ことを特徴とする請求項８に記載の信号処理装置。
【請求項１７】
前記信号処理手段は、少なくとも、前記第１の画像信号から１次元または２次元の予測タップが選択され、前記演算手段に供給されるように、内部構造を切り換える
ことを特徴とする請求項１３に記載の信号処理装置。
【請求項１８】
前記信号処理手段は、少なくとも、１次元または２次元のクラス分類の結果得られるクラスのタップ係数が、前記タップ係数出力手段から出力されるように、内部構造を切り換える
ことを特徴とする請求項１３に記載の信号処理装置。
【請求項１９】
前記信号処理手段は、第１または第２の信号処理の信号処理結果を判定する判定手段を有する
ことを特徴とする請求項８に記載の信号処理装置。
【請求項２０】
前記判定手段は、前記信号処理結果を判定した判定結果に基づいて、その信号処理結果を出力する
ことを特徴とする請求項１９に記載の信号処理装置。
【請求項２１】
前記判定手段は、前記信号処理結果を判定した判定結果に基づいて、その信号処理結果を対象に前記第１または第２の信号処理が再帰的に行われるように、その信号処理結果を出力する
ことを特徴とする請求項２０に記載の信号処理装置。
【請求項２２】
前記信号処理手段は、１チップのIC(Integraged Circuit)である
ことを特徴とする請求項８に記載の信号処理装置。
【請求項２３】
複数のコマンドからなるコマンド列を受信するコマンド列受信ステップと、
前記コマンド列に応じて、内部構造を切り換え、前記コマンド列の１つのコマンドに対応する第１の信号処理を実行し、その後、さらに、前記コマンド列の他の１つのコマンドに対応する第２の信号処理を実行する信号処理ステップと
を含むことを特徴とする信号処理方法。
【請求項２４】
信号処理を実行する信号処理手段に、その内部構造を切り換えさせる複数のコマンドからなり、
前記複数のコマンドのうちの１つのコマンドは、前記信号処理手段が実行する第１の信号処理に対応し、
前記複数のコマンドのうちの他の１つのコマンドは、前記信号処理手段が前記第１の信号処理の実行後に実行する第２の信号処理に対応する
ことを特徴とするコマンド列のデータ構造が記録されている情報記録媒体。
【手続補正２】
【補正対象書類名】明細書
【補正対象項目名】発明の名称
【補正方法】変更
【補正の内容】
【発明の名称】信号処理装置および信号処理方法、並びに情報記録媒体
【手続補正３】
【補正対象書類名】明細書
【補正対象項目名】０００１
【補正方法】変更
【補正の内容】
【０００１】
本発明は、信号処理装置および信号処理方法、並びに情報記録媒体に関し、特に、複数のコマンドに応じて、ハードウェアの内部構造を切り換えることにより、単一のハードウェアで、多くの機能を、容易に実現することができるようにする信号処理装置および信号処理方法、並びに情報記録媒体に関する。
【手続補正４】
【補正対象書類名】明細書
【補正対象項目名】００１４
【補正方法】変更
【補正の内容】
【００１４】
本発明の情報記録媒体に記録されているコマンド列のデータ構造は、信号処理を実行する信号処理手段に、その内部構造を切り換えさせる複数のコマンドからなり、複数のコマンドのうちの１つのコマンドは、信号処理手段が実行する第１の信号処理に対応し、複数のコマンドのうちの他の１つのコマンドは、信号処理手段が第１の信号処理の実行後に実行する第２の信号処理に対応することを特徴とする。
【手続補正５】
【補正対象書類名】明細書
【補正対象項目名】００１７
【補正方法】変更
【補正の内容】
【００１７】
本発明の情報記録媒体に記録されているコマンド列のデータ構造においては、複数のコマンドによって、信号処理を実行する信号処理手段の内部構造が切り換えられ、複数のコマンドのうちの１つのコマンドによって、信号処理手段が第１の信号処理が実行され、複数のコマンドのうちの他の１つのコマンドによって、信号処理手段が第１の信号処理の実行後に第２の信号処理が実行される。